(57)【要約】【課題】テレビレンズの駆動用モジュールの取付と固定を簡略化することを可能にしたテレビレンズを提供すること。【解決手段】レンズ部の各駆動部をモーターにより駆動するためのサーボモジュールと、レンズ部の各駆動部を手動操作するためのマニュアルモジュールと、これらのモジュールを連結する接続部が配置され、レンズ部のカバーに形成された開口部から上記サーボモジュール又はマニュアルモジュールをレンズ部に取り付けるテレビレンズにおいて、開口部に設置された支点を中心に回動し、モジュールを接続部に接続するレバーと、開口部に取付けられたモジュールを接続部から退避する方向へ押圧するバネ部材と、モジュールのピンが挿入されるテーパー形状の溝とを有するテレビレンズであって、レバーの端面によってサーボモジュール及びマニュアルモジュールを固定することを特徴とする。【選択図】図１
2017083725.tif 000002
【特許請求の範囲】
【請求項１】
レンズ部の各駆動部をモーターにより駆動するためのサーボモジュールと、レンズ部の各駆動部を手動操作するためのマニュアルモジュールと、これらの駆動モジュールを連結する接続部が配置され、レンズ部のカバーに形成された開口部から上記駆動モジュールをレンズ部に取り付けるテレビレンズにおいて、開口部に設置された支点を中心に回動し、駆動モジュールを接続部に接続するレバーと、開口部に取付けられた駆動モジュールを接続部から退避する方向へ押圧するバネ部材と、駆動モジュールのピンが挿入されるテーパー形状の溝と、開口部の中心に切欠きを有することを特徴とするテレビレンズ。
【請求項２】
レバーの操作によって、ズーム用とフォーカス用の駆動モジュールの着脱操作を一度に行うことを特徴とする請求項１に記載のテレビレンズ。
【請求項３】
開口部の駆動モジュールの取付面に磁石を有することを特徴とする請求項１又は請求項２に記載のテレビレンズ。
【発明の詳細な説明】
【技術分野】
【０００１】
本発明は、テレビレンズの駆動用モジュールの取付と固定に関わるものである。
【背景技術】
【０００２】
テレビレンズにサーボモジュールやマニュアルモジュールのいずれかの駆動モジュールを取り付けるためには、まず、駆動モジュールのピンと固定ツマミの位置をテレビレンズの開口部に具備されるガイド溝と固定溝に位置合わせする。次に、駆動モジュールを開口部に入れた後、手動で駆動モジュールをスライドし、駆動モジュールの位置がずれないように手で支えながら、固定ツマミを回しテレビレンズ本体に駆動モジュールを固定する（特許文献１参照）。
【先行技術文献】
【特許文献】
【０００３】
【特許文献１】特開平１０−１７７１３２号公報
【発明の概要】
【発明が解決しようとする課題】
【０００４】
しかしながら、上述の特許文献１に開示された従来技術では、駆動モジュールをテレビレンズに取付ける際、駆動モジュールのガイド位置と固定位置が駆動モジュール自体で隠れる。よって、駆動モジュールの取付位置を確認しながら、取付けることが出来ないため、駆動モジュールの取付位置を探す必要があり、取付作業が困難となる。さらに、駆動モジュールを固定する際、押し込み位置が動かないように支える必要があり、駆動モジュールの固定作業も容易でない。
【０００５】
そこで、本発明の目的は、テレビレンズの駆動モジュールの取付と固定を簡略化することを可能にしたテレビレンズを提供することにある。
【課題を解決するための手段】
【０００６】
上記の目的を達成するために、本発明に係るテレビレンズは、
レンズ部の各駆動部をモーターにより駆動するためのサーボモジュールと、レンズ部の各駆動部を手動操作するためのマニュアルモジュールと、これらの駆動モジュールを連結する接続部が配置され、レンズ部のカバーに形成された開口部から上記サーボモジュール又はマニュアルモジュールをレンズ部に取り付けるテレビレンズにおいて、開口部に設置された支点を中心に回動し、駆動モジュールを接続部に接続するレバーと、開口部に取付けられた駆動モジュールを接続部から退避する方向へ押圧するバネ部材と、駆動モジュールのピンが挿入されるテーパー形状の溝とを有するテレビレンズであって、レバーの端面によって駆動モジュールを固定することを特徴とする。
【発明の効果】
【０００７】
本発明によれば、レンズ本体の開口部に設ける切り欠きにより、モジュールの取付位置を略規定できるため、駆動モジュール取付位置を探す手間を軽減できる。さらに、レバーの操作によって駆動モジュールを正常な取付位置へ移動させる事ができ、レバー自体によって駆動モジュールの固定を行うことができる。よって、簡単な操作で駆動モジュールの取付と固定を行えるテレビレンズを提供することができる。
【図面の簡単な説明】
【０００８】
【図１】駆動モジュール１００の取付箇所の全体を表す断面図である。
【図２】接続部の断面図である。
【図３】駆動モジュール取付板４のＢ視図である。
【図４】駆動モジュール取付板４のＡ視図である。
【図５】駆動モジュール取付板４の溝１０の詳細図である。
【図６】駆動モジュール取付板４のＣ視図である。
【図７】駆動モジュール１００を駆動モジュール取付板４に取りつけた状態を示す断面図である。
【図８】駆動モジュール１００の着脱操作中の状態を示す断面図である。
【図９】駆動モジュール１００の固定状態を示す断面図である。
【図１０】マニュアルモジュール１５０の固定状態を示すテレビレンズの底面図である。
【図１１】実施例２でのテレビレンズの底面図である。
【図１２】実施例２での駆動モジュール１００の取付箇所の断面図である。
【発明を実施するための形態】
【０００９】
以下に、本発明の好ましい実施の形態を、添付の図面に基づいて詳細に説明する。図１は本発明の実施形態にかかわるレンズ装置である。
【実施例１】
【００１０】
以下、図１から図１０を参照して、本発明の第１の実施例による、テレビレンズについて説明する。
【００１１】
まず、本実施例のレンズ鏡筒１について説明する。
【００１２】
レンズ鏡筒１はフォーカスレンズ群（不図示）とズームレンズ群（不図示）を有し、其々のレンズ群を光軸方向へ動かすことでフォーカス及びズームを行う。フォーカスレンズ群とズームレンズ群を駆動する動力発生部には、モーターを内蔵したサーボモジュールや手動操作用ハンドル等の回転動力を伝達させるマニュアルモジュールが取り付けられる。本実施例では、どちらのモジュールにおいても適用可能であるため、駆動モジュール１００と表記し説明する。また、フォーカス用及びズーム用の駆動モジュール１００を取り付ける箇所の構造は同じである。レンズ鏡筒１の外側にはレンズカバー２が具備される。また、レンズ鏡筒１にはレンズマウント３が固定され、カメラ（不図示）と接続する。
【００１３】
次に、本実施例の動力発生部について説明する。
【００１４】
駆動モジュール取付板４はレンズ鏡筒１に固定される。入力軸５は駆動モジュール取付板４に設けられ、駆動モジュール１００の出力軸１０１と噛み合う。駆動モジュール１００の出力軸１０１が駆動モジュール取付板４の入力軸５を回転させることで、入力軸５に固定されたプーリー６を回転させ、タイミングベルト（不図示）により動力を伝達する。軸受７は駆動モジュール取付板４に設けられ、駆動モジュール１００の口金１０２と嵌合する。ラジアルベアリング８は入力軸５と軸受７の間に挟持され、入力軸５のラジアル方向の位置を規制する。押え環９は軸受７と螺合し、ラジアルベアリング８と入力軸５の光軸方向の位置を規制する。
【００１５】
駆動モジュール１００を取り付けるための開口部２００はレンズカバー２と駆動モジュール取付板４に設けられる。駆動モジュール取付板４の開口部２００は駆動モジュール１００の口金１０２の幅よりも大きい切り欠き４ａが設けられ、駆動モジュール１００を開口部２００に入れる際の位置出しとなる。ガイド溝１０は駆動モジュール取付板４に設けられ、駆動モジュール１００の取付時に駆動モジュール１００のピン１０３が挿入される。このガイド溝１０は斜面形状１０ａと、ピン１０３の外径と嵌合する嵌合形状１０ｂを持ち、駆動モジュール１００の取付操作によって、ピン１０３が斜面形状１０ａと嵌合形状１０ｂを摺動し、駆動モジュール１００を正常な取付位置に補正する。
【００１６】
レバー台３００は駆動モジュール取付板４に固定される。レバー３０１はレバー台３００に具備され、回転軸３０２を中心に回動する。レバー３０１の端面はカム形状３０１ａを有し、レバー３０１の倒し量に従って、駆動モジュール１００を矢印４００方向へ移動させる。バネ３０３はレバー３０１と駆動モジュール取付板４の間に設けられ、レバー３０１を矢印５００方向に付勢する。駆動モジュール１００を外した状態の場合、レバー３０１は駆動モジュール取付板４の端面４ｂと接し、レンズ鏡筒１に対し水平な配置となる。磁石１１は駆動モジュール取付板４に固定され、駆動モジュール１００を開口部２００に入れた際に磁力によって駆動モジュール１００を仮固定する。尚、本実施例では磁石１１を具備する構成としたが、磁石１１を構成しなくても良い。バネ１２は軸受７の外周に設けられ、駆動モジュール１００を矢印６００方向へ付勢する。
【００１７】
マニュアルモジュール１５０の固定状態を示すテレビレンズの底面図を図１０に示す。手動操作用ハンドル等の回転動力を接続する連結箇所１５１はマニュアルモジュール１５０固定時には開口部２００の外側へ解放されており、其々、手動操作用ハンドル等に接続することが可能である。
【００１８】
以上の構成において、図７から図９を用い駆動モジュール１００の着脱及び固定について説明する。
【００１９】
まず、駆動モジュール取付板４の切り欠き４ａと駆動モジュール１００の口金１０２の位置が合うように駆動モジュール取付板４に駆動モジュール１００を取り付ける。駆動モジュール１００を駆動モジュール取付板４に設置すると、ピン１０３が溝１０に挿入され、磁石１１によって駆動モジュール取付板４に仮固定される。駆動モジュール１００の取付操作によって、レバー３０１のカム形状３０１ａ箇所が駆動モジュール１００に押され、レバー３０１が起き上がる。
【００２０】
次に、起き上ったレバー３０１を倒すことで、駆動モジュール１００の後端をレバー３０１によって押圧し、駆動モジュール１００を矢印４００方向へ移動させる。駆動モジュール１００の移動に伴って、ピン１０３が溝１０のテーパー形状１０ａをガイドとして、駆動モジュール１００の左右の位置を補正する。さらに、レバー３０１のカム形状３０１ａによって駆動モジュール１００の後端を押圧し、ピン１０３中心に駆動モジュール１００が回転することを規制する。レバー３０１が駆動モジュール取付板４の端面４ｂに突当る位置まで倒すことで、駆動モジュール１００の出力軸１０１と駆動モジュール取付板４の入力軸５が噛み合い、駆動モジュール１００の動力を伝達する。駆動モジュール１００は、レバー３０１とバネ１２によって挟持される。固定時は、バネ３０３によってレバー３０１は矢印５００方向へ付勢されているため、動作中にレバー３０１が立ち上がることはない。
【００２１】
駆動モジュール１００の取外し時は、レバー３０１を手動で立ち上げる操作を行う。この操作によって、駆動モジュール１００はバネ１２によって押圧され、矢印６００方向へ動き、入力軸５との連結が外れる。バネ１２によって押し出された駆動モジュール１００を駆動モジュール取付板４から取り出すことで、駆動モジュール１００を取り外す事ができる。取外し後、レバー３０１はバネ３０３によってレンズ鏡筒１に対し水平な位置となり、レンズ鏡筒１の外部に出っ張る事はない。
【実施例２】
【００２２】
以下、図１１と図１２を参照して、本発明の第２の実施例による、テレビレンズについて説明する。本実施例では、サーボモジュール及びマニュアルモジュールのどちらにおいても適用可能であるため、駆動モジュール１００と表記し説明する。また、フォーカス用及びズーム用の駆動モジュール１００を取り付ける動力発生部の構造は同じである。
【００２３】
レバー台３００はフォーカス用及びズーム用の駆動モジュール１００を取り付ける駆動モジュール取付板４に其々固定される。レバー３１０は二つのレバー台３００に具備され、回転軸３０２を中心に回動する。レバー３１０の端面はカム形状３１０ａを有し、レバー３１０の倒し量に従って、駆動モジュール１００を矢印４００方向へ移動させる。他の符号は実施例１と共通であるため、説明を割愛する。
【００２４】
以上のように構成されたテレビレンズにおいて、駆動モジュール１００の着脱操作は実施例１と同等であるため、説明を割愛する。本実施例では、レバー３１０の操作によって、フォーカス用及びズーム用の駆動モジュール１００を同時に着脱可能となる。
【００２５】
以上、本発明の好ましい実施形態について説明したが、本発明はこれらの実施形態に限定されず、その要旨の範囲内で種々の変形及び変更が可能である。
【符号の説明】
【００２６】
４  駆動モジュール取付板、５  入力軸、１０  溝、１２  バネ、
１００  駆動モジュール、１０１  出力軸、１０３  ピン、２００  開口部、
３００  レバー台、３０１  レバー、３０１ａ  カム形状、３０２  回転軸
【図１】
2017083725.tif 000003
【図２】
2017083725.tif 000004
【図３】
2017083725.tif 000005
【図４】
2017083725.tif 000006
【図５】
2017083725.tif 000007
【図６】
2017083725.tif 000008
【図７】
2017083725.tif 000009
【図８】
2017083725.tif 000010
【図９】
2017083725.tif 000011
【図１０】
2017083725.tif 000012
【図１１】
2017083725.tif 000013
【図１２】
2017083725.tif 000014